(57)【要約】【課題】特定の番組に視聴制限をかけて、利便性を高めることができるデジタル放送受信装置を提供する。【解決手段】特定の番組の視聴中またはＥＰＧ（Electronic Program Guide）の表示中に、操作キーの操作により特定の番組を視聴制限番組として指定可能にし、指定された該番組の番組情報を記憶することにより、視聴制限番組を登録する。また、各チャンネルで放送されている現在の番組の番組情報と、登録された視聴制限番組の番組情報とを参照して、現在の番組が視聴制限番組であるか否かを判定する。そして、視聴制限番組の指定時に、該視聴制限番組が視聴中である場合と、操作キーの操作により指示されたチャンネルの選局時に、該チャンネルで放送されている現在の番組が視聴制限番組である場合とに、該番組に対応する映像と音声の出力を停止して、該番組の視聴を禁止する。【選択図】図３
2008294866.tif 000002
【特許請求の範囲】
【請求項１】
デジタル放送の各チャンネルを選局し、各チャンネルの放送信号を受信する選局手段と、各チャンネルの選局を指示する選局指示手段と、放送信号を処理して各チャンネルで放送されている番組に対応する映像信号と音声信号を出力する信号出力手段と、放送信号を処理して各チャンネルで放送される番組の番組情報を検出する検出手段とを備えたデジタル放送受信装置において、
視聴できないように制限する視聴制限番組を指定する番組指定手段と、
前記番組指定手段により指定された視聴制限番組の番組情報を記憶することにより、該視聴制限番組を登録する登録手段と、
各チャンネルで放送されている現在の番組の番組情報と、前記登録手段に登録された視聴制限番組の番組情報とを参照して、該現在の番組が視聴制限番組であるか否かを判定する判定手段と、を備え、
前記番組指定手段による視聴制限番組の指定時に、指定された視聴制限番組に対応する映像信号と音声信号が前記信号出力手段により出力中である場合と、前記選局指示手段により指示されたチャンネルの選局時に、該チャンネルで放送されている現在の番組が視聴制限番組である場合とに、該番組に対応する映像信号と音声信号の前記信号出力手段による出力を停止することを特徴とするデジタル放送受信装置。
【請求項２】
請求項１に記載のデジタル放送受信装置において、
前記番組指定手段は、前記信号出力手段により出力中である映像信号と音声信号に対応する番組を、視聴制限番組として指定することを特徴とするデジタル放送受信装置。
【請求項３】
請求項１または請求項２に記載のデジタル放送受信装置において、
前記検出手段は、各チャンネルで一定期間に放送される番組の番組情報を検出し、
前記検出手段により検出された番組情報を記憶する記憶手段と、
前記記憶手段に記憶された番組情報に基づいて、各チャンネルで一定期間に放送される番組を一覧表示する一覧表示手段と、を備え、
前記番組指定手段は、前記一覧表示手段により一覧表示された番組の中から、いずれかの番組を視聴制限番組として指定することを特徴とするデジタル放送受信装置。
【請求項４】
請求項３に記載のデジタル放送受信装置において、
予め設定されたタイミングで、前記各チャンネルの一定期間の番組情報を、前記検出手段により検出して、前記記憶手段に記憶することを特徴とするデジタル放送受信装置。
【請求項５】
請求項１ないし請求項４のいずれかに記載のデジタル放送受信装置において、
前記番組情報は少なくとも番組名を含むことを特徴とするデジタル放送受信装置。
【請求項６】
請求項１ないし請求項５のいずれかに記載のデジタル放送受信装置において、
前記視聴制限番組に対応する映像信号と音声信号の前記信号出力手段による出力停止回数が一定回数未満の場合は、前記番組指定手段により指定された該視聴制限番組の特定の放送時間帯にだけ、該視聴制限番組に対応する映像信号と音声信号の前記信号出力手段による出力を停止し、前記視聴制限番組の前記出力停止回数が一定回数以上の場合は、該視聴制限番組の全ての放送時間帯に、該視聴制限番組に対応する映像信号と音声信号の前記信号出力手段による出力を停止することを特徴とするデジタル放送受信装置。
【請求項７】
ＤＶＢ ＳＩ（Digital Video Broadcast Service Information）規格に準拠したデジタル放送の各チャンネルを選局し、各チャンネルの放送信号を受信する選局手段と、各チャンネルの選局を指示する選局指示手段と、放送信号を処理してＴＳ（Transport Stream）を出力し、ＴＳを処理して各チャンネルで放送されている番組に対応する映像信号と音声信号を出力する信号出力手段と、ＴＳからＥＩＴ（Event Information Table）を検出し、ＥＩＴから各チャンネルで放送される番組の番組情報を検出する検出手段と、映像信号に基づく映像と音声信号に基づく音声を出力する映像音声出力手段とを備えたデジタル放送受信装置において、
前記検出手段は、起動時または定期的に、各チャンネルで一定期間に放送される番組の少なくとも番組名を含む番組情報を検出し、
前記検出手段により検出された番組情報を記憶する記憶手段と、
前記記憶手段に記憶された番組情報に基づいて、各チャンネルで一定期間に放送される番組を一覧表示する一覧表示手段と、
前記映像音声出力手段により対応する映像と音声が出力されて現在視聴中にある番組または前記一覧表示手段により一覧表示された番組のうちのいずれかの番組を、視聴できないように制限する視聴制限番組として指定する番組指定手段と、
前記番組指定手段により指定された視聴制限番組の番組情報を記憶することにより、該視聴制限番組を登録する登録手段と、
各チャンネルで放送されている現在の番組の番組情報と、前記登録手段に登録された視聴制限番組の番組情報とを参照して、番組名の一致を確認することにより、該現在の番組が視聴制限番組であるか否かを判定する判定手段と、を備え、
前記番組指定手段による視聴制限番組の指定時に、指定された視聴制限番組が視聴中である場合と、前記選局指示手段により指示されたいずれかのチャンネルの選局時に、該チャンネルで放送されている現在の番組が視聴制限番組である場合とに、該番組に対応する映像と音声の前記映像音声出力手段による出力を停止して、該番組を視聴できないようにすることを特徴とするデジタル放送受信装置。
【請求項８】
請求項７に記載のデジタル放送受信装置において、
前記視聴制限番組に対応する映像と音声の前記映像音声出力手段による出力停止回数を計数する計数手段を備え、
前記番組情報には放送時間帯が含まれ、
前記視聴制限番組の前記出力停止回数が一定回数未満の場合は、前記番組指定手段により指定された該視聴制限番組の特定の放送時間帯にだけ、該視聴制限番組に対応する映像と音声の前記映像音声出力手段による出力を停止し、前記視聴制限番組の前記出力停止回数が一定回数以上の場合は、該視聴制限番組の全ての放送時間帯に、該視聴制限番組に対応する映像と音声の前記映像音声出力手段による出力を停止することを特徴とするデジタル放送受信装置。
【発明の詳細な説明】
【技術分野】
【０００１】
本発明は、デジタル放送受信装置の視聴制限機能に関するものである。
【背景技術】
【０００２】
例えばデジタルテレビジョン受像機等のデジタル放送受信装置には、親が子供に有害なテレビ放送を視聴できないように制限するペアレンタルロック機能を有するものがある。例えば欧州等で使用されているデジタルテレビジョン受像機のペアレンタルロック機能には、キー操作により指定したチャンネルそのものを視聴制限するチャンネルロック機能や、デジタルテレビ放送信号に多重化されている各テレビ放送番組のレイティング情報を利用したペアレンタルレイティング機能等がある。
【０００３】
一方、下記の特許文献１に記載されているデジタル放送受信装置では、予め管理者に視聴制限ワードを設定させ、放送信号から検出してメモリに格納した番組情報の中に視聴制限ワードが存在するかどうかを判定し、番組情報の中に視聴制限ワードが存在する番組を視聴制限番組であると判断して、該番組の視聴要求があっても、該番組の映像の出力を制限する。
【０００４】
また、下記の特許文献２に記載されているデジタル放送受信装置では、番組選択のためのキーワードまたは条件をメモリに予め登録しておき、ユーザにより番組選択画面の表示指令を受けたときに、放送信号から検出した番組情報の中に上記キーワードまたは条件に一致する情報を検索し、キーワードまたは条件に一致する情報を含む番組があれば、番組選択画面においてその番組を他の番組とは異なる色で表示し、カーソルによりその番組が選択されて、その番組の番組情報にレイティング情報が含まれていると、警告音を鳴らす。
【０００５】
また、下記の特許文献３に記載されているデジタル放送受信装置では、映像復号化部により復号化された映像データから第１レイティング情報を検出し、ＥＰＧ処理部により復号化されたＥＰＧデータから第２レイティング情報を検出し、番組予約時に、第２レイティング情報に基づいて視聴制限による予約の可否を判別して、番組予約ガイドに表示する。
【０００６】
さらに、下記の特許文献４に記載されているデジタル放送受信装置では、表示手段に現在表示されている放送番組の放送番組データと、記憶手段に記憶された放送予定番組データとを比較参照し、現在の放送番組とジャンルおよび番組名の一方が一致ないし類似する放送予定番組を受信予約する。
【０００７】
【特許文献１】特開２００６−３１９６１３号公報
【特許文献２】特開２００３−２１９３００号公報
【特許文献３】特開２００３−１１０９５３号公報
【特許文献３】特開２０００−９２４００号公報
【発明の開示】
【発明が解決しようとする課題】
【０００８】
上述したペアレンタルロック機能および特許文献１〜４の技術では、ユーザが特定の番組に視聴制限をかけることができず、利便性が低い。特に、特許文献１の技術では、予め管理者が視聴制限ワードを考えて、装置に入力しなければならず、煩雑である。
【０００９】
本発明は、上記問題点を解決するものであって、その課題とするところは、特定の番組に視聴制限をかけて、利便性を高めることができるデジタル放送受信装置を提供することにある。
【課題を解決するための手段】
【００１０】
本発明では、デジタル放送の各チャンネルを選局し、各チャンネルの放送信号を受信する選局手段と、各チャンネルの選局を指示する選局指示手段と、放送信号を処理して各チャンネルで放送されている番組に対応する映像信号と音声信号を出力する信号出力手段と、放送信号を処理して各チャンネルで放送される番組の番組情報を検出する検出手段とを備えたデジタル放送受信装置において、さらに、視聴できないように制限する視聴制限番組を指定する番組指定手段と、番組指定手段により指定された視聴制限番組の番組情報を記憶することにより、該視聴制限番組を登録する登録手段と、各チャンネルで放送されている現在の番組の番組情報と、登録手段に登録された視聴制限番組の番組情報とを参照して、該現在の番組が視聴制限番組であるか否かを判定する判定手段とを備える。そして、番組指定手段による視聴制限番組の指定時に、指定された視聴制限番組に対応する映像信号と音声信号が信号出力手段により出力中である場合と、選局指示手段により指示されたチャンネルの選局時に、該チャンネルで放送されている現在の番組が視聴制限番組である場合とに、該番組に対応する映像信号と音声信号の信号出力手段による出力を停止する。
【００１１】
このようにすると、ユーザが番組指定手段により特定の番組を視聴制限番組として指定するだけで、この時点やそれ以降の該番組（視聴制限番組として指定された番組そのものおよびこれと同様の番組）に対応する映像信号と音声信号の出力が停止されて、該番組が視聴できなくなるので、特定の番組に容易に視聴制限をかけて、利便性を高めることができる。
【００１２】
また、本発明では、上記デジタル放送受信装置において、番組指定手段は、信号出力手段により出力中である映像信号と音声信号に対応する番組を、視聴制限番組として指定する。
【００１３】
このようにすると、現在放送されて受信されている特定の番組に容易に視聴制限をかけて、利便性を高めることができる。
【００１４】
また、本発明では、上記デジタル放送受信装置において、検出手段は、各チャンネルで一定期間に放送される番組の番組情報を検出し、検出手段により検出された番組情報を記憶する記憶手段と、記憶手段に記憶された番組情報に基づいて、各チャンネルで一定期間に放送される番組を一覧表示する一覧表示手段とを備え、番組指定手段は、一覧表示手段により一覧表示された番組の中から、いずれかの番組を視聴制限番組として指定する。
【００１５】
このようにすると、一定期間に放送される特定の番組に予め容易に視聴制限をかけて、利便性を高めることができる。
【００１６】
また、本発明では、上記デジタル放送受信装置において、予め設定されたタイミングで、各チャンネルの一定期間の番組情報を、検出手段により検出して、記憶手段に記憶する。
【００１７】
このようにすると、視聴制限番組の登録前および視聴制限番組の判定前に、各チャンネルの一定期間の番組情報を検出して記憶し、該番組情報を更新して正確に保持することができる。このため、視聴制限番組の登録時に、放送信号から視聴制限番組の番組情報を検出する手間を省いて、記憶手段に記憶された視聴制限番組の番組情報を登録手段により迅速かつ正確に登録することができる。また、視聴制限番組の判定時に、放送信号から現在の番組の番組情報を検出する手間を省いて、記憶手段に記憶された現在の番組の番組情報と登録手段により登録された視聴制限番組の番組情報とを参照し、現在の番組が視聴制限番組であるか否かを迅速かつ正確に判定することができる。さらに、その判定結果に基づいて、チャンネルの選局時に該チャンネルの現在の番組に対応する映像信号と音声信号の出力を実行しまたは停止するまでにかかる時間を短縮することができる。
【００１８】
また、本発明では、上記デジタル放送受信装置において、番組情報は少なくとも番組名を含む。
【００１９】
このようにすると、番組指定手段により視聴制限番組として指定した特定の番組と同名の番組に、以降視聴制限をかけることができる。
【００２０】
また、本発明では、上記デジタル放送受信装置において、視聴制限番組に対応する映像信号と音声信号の信号出力手段による出力停止回数が一定回数未満の場合は、番組指定手段により指定された該視聴制限番組の特定の放送時間帯にだけ、該視聴制限番組に対応する映像信号と音声信号の信号出力手段による出力を停止し、視聴制限番組の前記出力停止回数が一定回数以上の場合は、該視聴制限番組の全ての放送時間帯に、該視聴制限番組に対応する映像信号と音声信号の信号出力手段による出力を停止する。
【００２１】
このようにすると、ユーザが視聴制限番組として指定した特定の番組のうち、対応する映像信号と音声信号の出力停止回数が一定回数未満である番組に対して、指定した特定の放送時間帯にだけ一時的に視聴制限をかけ、かつ、対応する映像信号と音声信号の出力停止回数が一定回数以上である番組に対して、以降の全ての放送時間帯に継続的に視聴制限をかけて、利便性を高めることができる。
【００２２】
また、本発明の典型的な実施形態では、ＤＶＢ ＳＩ（Digital Video Broadcast Service Information）規格に準拠したデジタル放送の各チャンネルを選局し、各チャンネルの放送信号を受信する選局手段と、各チャンネルの選局を指示する選局指示手段と、放送信号を処理してＴＳ（Transport Stream）を出力し、ＴＳを処理して各チャンネルで放送されている番組に対応する映像信号と音声信号を出力する信号出力手段と、ＴＳからＥＩＴ（Event Information Table）を検出し、ＥＩＴから各チャンネルで放送される番組の番組情報を検出する検出手段と、映像信号に基づく映像と音声信号に基づく音声を出力する映像音声出力手段とを備えたデジタル放送受信装置において、以下のような構成にする。検出手段は、起動時または定期的に、各チャンネルで一定期間に放送される番組の少なくとも番組名を含む番組情報を検出する。さらに、検出手段により検出された番組情報を記憶する記憶手段と、記憶手段に記憶された番組情報に基づいて、各チャンネルで一定期間に放送される番組を一覧表示する一覧表示手段と、映像音声出力手段により対応する映像と音声が出力されて現在視聴中にある番組または一覧表示手段により一覧表示された番組のうちのいずれかの番組を、視聴できないように制限する視聴制限番組として指定する番組指定手段と、番組指定手段により指定された視聴制限番組の番組情報を記憶することにより、該視聴制限番組を登録する登録手段と、各チャンネルで放送されている現在の番組の番組情報と、登録手段に登録された視聴制限番組の番組情報とを参照して、番組名の一致を確認することにより、該現在の番組が視聴制限番組であるか否かを判定する判定手段とを備える。そして、番組指定手段による視聴制限番組の指定時に、指定された視聴制限番組が視聴中である場合と、選局指示手段により指示されたチャンネルの選局時に、該チャンネルで放送されている現在の番組が視聴制限番組である場合とに、該番組に対応する映像と音声の映像音声出力手段による出力を停止して、該番組を視聴できないようにする。
【００２３】
このようにすると、ユーザが現在視聴している特定の番組または一覧表示された一定期間に放送される番組のうちの特定の番組を、視聴制限番組として指定するだけで、この時視聴中であったその番組や以降に放送されるそれと同名の番組に対応する映像と音声の出力が停止されて、該番組が視聴できなくなるので、特定の番組に容易に視聴制限をかけて、利便性を高めることができる。また、各チャンネルの一定期間の番組情報の検出を、起動時または該一定期間毎若しくは該一定期間より短い期間毎に行うことで、視聴制限番組の登録前および視聴制限番組の判定前に、該番組情報を記憶手段に確実に記憶して更新し、常に正確に保持することができる。このため、視聴制限番組の登録時に、ＴＳのＥＩＴから視聴制限番組の番組情報を検出する手間を省いて、該番組情報を記憶手段から登録手段により迅速かつ正確に移動させて登録することができる。また、視聴制限番組の判定時に、ＴＳのＥＩＴから現在の番組の番組情報を検出する手間を省いて、記憶手段に記憶された現在の番組の番組情報と登録手段により登録された視聴制限番組の番組情報とを参照し、現在の番組が視聴制限番組であるか否かを迅速かつ正確に判定することができる。また、その判定結果に基づいて、チャンネルの選局時に該チャンネルの現在の番組に対応する映像と音声の出力を実行しまたは停止するまでにかかる時間を短縮することができる。また、各チャンネルの一定期間の番組情報の検出と記憶を起動時に行って、以降の駆動中に行わないようにすることで、以降の駆動中に該処理にかかる手間を省くことができる。さらに、各チャンネルの一定期間の番組情報の検出と記憶を定期的に行う期間を該一定期間に等しくすることで、該処理の実行頻度を減少させて、該処理にかかる時間と負担を軽減することができる。
【００２４】
さらに、本発明の典型的な実施形態では、上記デジタル放送受信装置において、視聴制限番組に対応する映像と音声の映像音声出力手段による出力停止回数を計数する計数手段を備え、番組情報には放送時間帯が含まれ、視聴制限番組の前記出力停止回数が一定回数未満の場合は、番組指定手段により指定された該視聴制限番組の特定の放送時間帯にだけ、該視聴制限番組に対応する映像と音声の映像音声出力手段による出力を停止し、視聴制限番組の前記出力停止回数が一定回数以上の場合は、該視聴制限番組の全ての放送時間帯に、該視聴制限番組に対応する映像と音声の映像音声出力手段による出力を停止する。
【００２５】
このようにすると、ユーザが視聴制限番組として指定した特定の番組のうち、対応する映像と音声の出力停止回数が一定回数未満である同名の番組に対して、指定した特定の放送時間帯にだけ一時的に視聴制限をかけて、視聴できないようにし、かつ、対応する映像と音声の出力停止回数が一定回数以上である同名の番組に対して、以降の全ての放送時間帯に継続的に視聴制限をかけて、視聴できないようにし、利便性を高めることができる。
【発明の効果】
【００２６】
本発明によれば、ユーザが特定の番組を視聴制限番組として指定することにより、この時点やそれ以降に該番組が視聴できなくなるので、特定の番組に容易に視聴制限をかけて、利便性を高めることができる。
【発明を実施するための最良の形態】
【００２７】
図１は、本発明の実施形態に係るデジタル放送受信装置１００のブロック図である。デジタル放送受信装置１００は、ＤＶＢ ＳＩ（Digital Video Broadcast Service Information）規格に準拠したデジタル放送の各チャンネルの放送信号を受信して、各チャンネルで放送されている番組に対応する映像と音声を出力するデジタルテレビジョン受像機から成る。デジタル放送受信装置１００のサブ基板１には、チューナモジュールが構築されている。メイン基板２には、ＴＶ（テレビ）のメインシステムが構築されている。
【００２８】
チューナ３は、図示しないアンテナを介して取得したデジタル放送のＲＦ（Radio Frequency）信号から、各チャンネルに対応するＩＦ（Intermediate Frequency）信号を抽出して、デモジュレータ（Demod）４へ出力する。デモジュレータ４は、各チャンネルのデジタルのＩＦ信号を復調して、ＴＳ（Transport Stream）を検出し、該ＴＳをＣＩ（Common Interface）５を介してハイブリッドプロセッサ（以下、「プロセッサ」という。）６へ出力する。デモジュレータ４は、チューナ３に対して各チャンネルを選局するためのＡＧＣ（Auto Gain Control）信号を出力する。チューナ３とデモジュレータ４とは、ＩＩＣ（Inter Integrated Circuit）バスを介してデータ通信を行う。ＣＩ５には、デスクランブラを内蔵した図示しないＩＣカードが接続される。有料デジタル放送等のスクランブルされたＴＳは、ＣＩ５を介してＩＣカードのデスクランブラにより、そのスクランブルが解除される。
【００２９】
プロセッサ６は、デマルチプレクサ（Demux）、ＭＰＥＧ（Moving Picture Experts Group）デコーダ、ＭＨＥＧ（Multimedia and Hypermedia information coding Experts Group）デコーダ、グラフィックコントローラ（Graphic）、およびＣＰＵから成る。プロセッサ６は、デマルチプレクサによりＴＳからＭＰＥＧ−２形式の映像ストリーム、音声ストリーム、ＭＨＥＧデータストリーム、およびＰＳＩ（Program Specific Information）／ＳＩ（Service Information）を検出する。ＰＳＩ／ＳＩは、デジタル放送の各チャンネルの放送信号に含まれるプログラムの付帯情報である。プロセッサ６は、ＭＰＥＧデコーダまたはＭＨＥＧデコーダにより映像ストリームまたはＭＨＥＧデータストリームをデコードして、映像データを生成する。また、プロセッサ６は、グラフィックコントローラにより映像データに対して各種の画像処理を行って、映像信号をＡＶ ＳＷ（スイッチ）１０へ出力する（Video（CVBS、Y/C））。さらに、プロセッサ６は、ＭＰＥＧデコーダにより音声ストリームをデコードして、音声データを生成し、オーディオＤＡＣ（Digital Analog Converter）７へ出力する。オーディオＤＡＣ７は、音声データを音声信号に変換して、ＡＶ ＳＷ１０へ出力する（Audio（L、R））。
【００３０】
メモリ９は、ＥＥＰＲＯＭ、ＮＯＲ ＦＬＡＳＨ、およびＳＤＲＡＭ等から成る。メモリ９には、プロセッサ６でＴＳを処理するためのデータや、プロセッサ６のＣＰＵがチューナ３とデモジュレータ４とＣＩ５に接続されたＩＣカードをそれぞれ制御するためのデータ等が、予め記憶されていたり、随時記憶されたりする。プロセッサ６のＣＰＵは、メモリ９に対してデータの読み書きを行う。また、プロセッサ６のＣＰＵは、デモジュレータ４またはＣＩ５に接続されたＩＣカード対してＩＩＣバスを介してデータ通信を行う。
【００３１】
メイン基板２に設けられたマイクロコンピュータ（以下、「マイコン」という。）１１は、ＣＰＵ、メモリ、およびタイマから成る。マイコン１１は、デジタル放送受信装置１００の各部を制御する。また、マイコン１１は、タイマにより日付と時間を計測する。また、マイコン１１は、チューナ３とデモジュレータ４により、デジタル放送の各チャンネルを選局し、該各チャンネルの放送信号（ＩＦ信号）を受信する。メモリ１７は、ＥＥＰＲＯＭまたはＮＯＲ ＦＬＡＳＨ等から成る。マイコン１１は、メモリ１７に対してデータの読み書きを行う。
【００３２】
プロセッサ６とマイコン１１とは、ＵＡＲＴ（Universal Asynchronous Receiver Transmitter）インタフェイスによりデータ通信を行う。プロセッサ６のＣＰＵは、ＰＳＩ／ＳＩ等の情報をマイコン１１へ送信する。マイコン１１は、ＳＩからＥＩＴ（Event Information Table）を検出し、該ＥＩＴからデジタル放送の各チャンネルの番組情報を検出する。詳しくは、ＥＩＴには、デジタル放送の全チャンネルの約１週間分の番組情報が含まれている。このため、マイコン１１は、ＥＩＴから各チャンネルで一定期間（例えば１週間）に放送される番組の番組情報を検出して、メモリ１７の所定領域に設けられた番組情報ＤＢ（データベース）に格納（記憶）する。上記番組情報には、各番組の番組名、放送時間帯、題名、内容、ジャンル、およびレイティング情報等の各種情報が含まれている。マイコン１１は、番組情報ＤＢに格納されている番組情報に基づいてＥＰＧ（Electronic Program Guide）を構成するＥＰＧ情報を生成する。
【００３３】
マイコン１１は、ＥＰＧ情報とメモリ１７および内蔵メモリに記憶された各種情報をプロセッサ６へ送信する。プロセッサ６は、グラフィックコントローラにより、マイコン１１から送信された上記情報に基づく映像データを生成し、該映像データをＭＰＥＧデコーダ等で生成した映像データに組み込むＯＳＤ（On Screen Display）処理を行う。このＯＳＤ処理により、デジタル放送の各チャンネルで一定期間（例えば１週間）に放送される番組を一覧表示するＥＰＧ画面、メニュー画面、および各種設定画面等を表示するための映像信号が生成され、該映像信号はプロセッサ６からＡＶ ＳＷ１０へ出力される。
【００３４】
ＡＶ ＳＷ１０には、チューナ３、プロセッサ６、およびオーディオＤＡＣ７からそれぞれ映像信号と音声信号が入力されるだけでなく、デジタル放送受信装置１００にケーブル等により接続された図示しない外部映像機器から映像信号（CVBS）と音声信号（Audio）が入力される。また、デジタル放送受信装置１００と外部映像機器との間で、映像信号と音声信号がＡＶ ＳＷ１０とＳＣＡＲＴ（Syndicat des Constructeurs d'Appareils Radiorecepteurs et Televiseurs）１、２インタフェイスを介して入出力される。ＡＶ ＳＷ１０は、スピーカ１５へ出力する音声信号と、スケーラ（Scaler）１３へ出力する映像信号を切り替える。
【００３５】
ＨＤＭＩ（High-Definition Multimedia Interface）レシーバ１２は、外部映像機器から入力されるコンポーネント（Component）信号またはＨＤＭＩ信号を受信して、スケーラ１３へ出力する。スケーラ１３は、ＡＶ ＳＷ１０またはＨＤＭＩレシーバ１２から入力される映像信号に対して、画像サイズ変換や画質調整等の画像処理を行った後、該映像信号をＬＶＤＳ（Low Voltage Differential Signaling）信号に変換して、ＬＣＤ（Liquid Crystal Display）モジュール１４へ出力する。ＬＣＤモジュール１４は、入力されるＬＶＤＳ信号に基づいて映像を表示する。ＬＣＤモジュール１４に表示される映像としては、各番組に対応する映像、外部映像機器からの入力映像、ＥＰＧ画面、メニュー画面、および各種設定画面等がある。スピーカ１５は、入力される音声信号に基づいて音声を出力する。スピーカ１５から出力される音声としては、各番組に対応する音声および外部映像機器からの入力音声等がある。
【００３６】
操作キー１６は、デジタル放送受信装置１００の本体前面に設置された操作パネルとリモートコントローラにそれぞれ設けられている。操作キー１６には、例えばチャンネルキー、チャンネルアップ／ダウンキー、メニューキー、十字キー、決定キー、および音量キー等の各種キーがある。操作キー１６で所定の操作をすることで、各チャンネルの選局を指示したり、視聴できないように制限する視聴制限番組を指定したり、各機能を設定したり、情報を入力したりする等の入力処理を行うことができる。
【００３７】
マイコン１１は、操作キー１６の操作により視聴制限番組が指定されると、該視聴制限番組の番組情報をメモリ１７の所定領域に設けられた視聴制限ＤＢに格納（記憶）することにより、該視聴制限番組を登録する。そして、マイコン１１は、視聴制限ＤＢに格納された視聴制限情報に基づいて、各チャンネルで放送されている現在の番組が視聴制限番組であるか否かを判定する。また、マイコン１１は、視聴制限番組を視聴できないようにロックする。視聴制限番組のロックとは、視聴制限番組に対応する映像信号と音声信号のプロセッサ６とオーディオＤＡＣ７による出力を停止することにより、視聴制限番組に対応する映像と音声のＬＣＤモジュール１４とスピーカ１５による出力を停止して、視聴制限番組を視聴できないようにすることである。マイコン１１は、メモリ１７を用いて各視聴制限番組をロックした回数を計数する。また、マイコン１１は、操作キー１６の操作によりデジタル放送受信装置１００の管理者が設定した各種情報が入力されると、該情報をメモリ１７の所定領域に設けられた管理者ＤＢに格納する。管理者ＤＢには、管理者の識別コード、視聴制限を解除するパスワード、および視聴制限年齢等の各種設定情報が格納されている。
【００３８】
上記構成において、チューナ３とデモジュレータ４とマイコン１１は、本発明における選局手段の一実施形態を構成する。デモジュレータ４とプロセッサ６とオーディオＤＡＣ７は、本発明における信号出力手段の一実施形態を構成する。プロセッサ６とマイコン１１は、本発明における検出手段の一実施形態を構成する。マイコン１１は、本発明における判定手段の一実施形態を構成する。マイコン１１とメモリ１７は、本発明における登録手段と計数手段の一実施形態を構成する。メモリ１７は、本発明における記憶手段の一実施形態を構成する。スケーラ１３とＬＣＤモジュール１４とスピーカ１５は、本発明における映像音声出力手段の一実施形態を構成する。プロセッサ６とマイコン１１とスケーラ１３とＬＣＤモジュール１４は、本発明における一覧表示手段の一実施形態を構成する。操作キー１６は、本発明における選局指示手段と番組指定手段の一実施形態を構成する。
【００３９】
図２は、番組情報取得処理の手順を示すフローチャートである。本処理は、マイコン１１がデジタル放送受信装置１００の各部を制御して実行する。デジタル放送受信装置１００が起動した時にまたは一定期間が経過する毎（定期的）に、マイコン１１は予め設定された番組情報取得タイミングになったと判断する（ステップＳ１：ＹＥＳ）。デジタル放送受信装置１００が起動した時とは、デジタル放送受信装置１００の電源スイッチがＯＮされて、各部が起動した時のことである。一定期間が経過する毎とは、前回の番組情報取得タイミングから、例えば１週間（２４時間×７日＝１６８時間）または１週間より短い期間が経過した時のことである。番組情報取得タイミングは、デジタル放送受信装置１００の製造段階で予め設定されているが（初期タイミング）、ユーザがＬＣＤモジュール１４に表示される各種設定画面に従って操作キー１６を操作することで、自由に設定し変更することができる。
【００４０】
そして、マイコン１１は、番組情報取得タイミングになったときに選局中のチャンネルの放送信号より検出したＴＳのＳＩから、ＥＩＴを検出する（ステップＳ２）。上記選局中のチャンネルとは、予め設定された初期チャンネル、前回電源を切断する直前まで選局していたチャンネル、またはユーザが操作キー１６を操作して選択したチャンネル等のことである。そして、マイコン１１は、ＥＩＴから各チャンネルの一定期間の番組情報を検出して（ステップＳ３）、該番組情報をメモリ１７の番組情報ＤＢに格納し（ステップＳ４）、処理を終了する。具体的には、マイコン１１は、ＥＩＴから各チャンネルの１週間分の番組情報を検出して、番組情報ＤＢに格納する。このとき、番組情報ＤＢに古い番組情報が格納されている場合は、該古い番組情報に新しく検出した番組情報を上書きして、番組情報ＤＢ内の番組情報を更新する。
【００４１】
図３は、視聴制限設定処理の手順を示すフローチャートである。本処理は、マイコン１１がデジタル放送受信装置１００の各部を制御して実行する。デジタル放送受信装置１００が起動して、例えば図４に示すように６チャンネルで放送されている現在の番組に対応する映像と音声がＬＣＤモジュール１４とスピーカ１５から出力されているときに、ユーザが該番組を視聴して、操作キー１６を操作することにより視聴制限番組として指定すると（図３のステップＳ１１：ＹＥＳ）、マイコン１１は該番組をロックし、即ち視聴制限番組として指定された番組に対応する映像と音声のＬＣＤモジュール１４とスピーカ１５からの出力を停止して、該番組の視聴を禁止（視聴できないように）し（ステップＳ１３）、該番組を視聴できなくなったことをＬＣＤモジュール１４により通知する（ステップＳ１４）。このとき、例えば図５に示すようにＬＣＤモジュール１４には、６チャンネルで放送されている現在の番組に対応する映像に代えて、ブラックバック画面と、視聴制限がかけられたため該現在の番組を視聴できないことを示すメッセージとが表示され、スピーカ１５からは音声が全く出力されなくなる。そして、マイコン１１は、視聴制限番組として指定された番組の番組情報をメモリ１７の番組情報ＤＢから読み出して視聴制限ＤＢに格納することにより、該視聴制限番組を登録し（図３のステップＳ１５）、処理を終了する。なお、視聴制限番組のロック中に、ユーザが操作キー１６を操作して、管理者により予め設定されたパスワードを入力すると、マイコン１１は該番組のロックを解除する、即ち該番組に対応する映像と音声をＬＣＤモジュール１４とスピーカ１５から出力し、該番組の視聴を許可（視聴できるように）する。
【００４２】
また、デジタル放送受信装置１００が起動して、例えば図６に示すようなＥＰＧがＬＣＤモジュール１４に表示されているときに、ユーザが操作キー１６を操作することによりいずれかの番組を視聴制限番組として指定すると（図３のステップＳ１１：ＮＯ、ステップＳ１２：ＹＥＳ）、マイコン１１は、その視聴制限番組として指定された番組の番組情報をメモリ１７の番組情報ＤＢから読み出して視聴制限ＤＢに格納することにより、該視聴制限番組を登録し（ステップＳ１５）、処理を終了する。図６では、ある日の各チャンネルで放送される番組の一覧表の一部を示している。各番組の欄には、番組名や題名や内容等の簡易な番組情報が表示されている。操作キー１６を操作して、いずれかの番組が選択（クリック）されると、該番組の詳細な番組情報が別枠で表示される。また、視聴制限番組として指定された番組は、他の番組と異なる形態（背景色の変更やハイライト表示等、図６ではハッチング）で表示されている。
【００４３】
上記のように視聴制限設定処理を終了すると、メモリ１７の視聴制限ＤＢには、例えば図７に示すように視聴制限番組の番組情報が格納されて、視聴制限番組が登録された状態となる。図７では、視聴制限ＤＢに各視聴制限番組の番組情報として、番組名と番組関連情報が対応付けて格納されている。番組関連情報には、番組の放送時間帯、放送チャンネル（ＣＨ Ｎｏ．）、題名、ジャンル等が含まれている。
【００４４】
図８は、チャンネル選局処理の手順を示すフローチャートである。本処理は、マイコン１１がデジタル放送受信装置１００の各部を制御して実行する。デジタル放送受信装置１００の起動中に、ユーザがチャンネルキーやチャンネルアップ／ダウンキー等の操作キー１６を操作して、またはユーザが図６に示したようなＥＰＧを見ながら操作キー１６を操作して、いずれかのチャンネルの選局を指示すると（図８のステップＳ２１：ＹＥＳ）、マイコン１１は、該チャンネルで放送されている現在の番組の番組情報をメモリ１７の番組情報ＤＢから読み出す。このとき、選局中のチャンネルの放送信号より検出したＴＳのＥＩＴから、選局を指示された現在の番組の番組情報を検出するようにしてもよい。そして、マイコン１１は、選局を指示されたチャンネルの現在の番組の番組情報と、メモリ１７の視聴制限ＤＢに登録されている視聴制限番組の番組情報とを参照して（ステップＳ２２）、該現在の番組が視聴制限番組であるか否かを判定する（ステップＳ２３）。このときマイコン１１は、例えば上記現在の番組と視聴制限番組の番組名の一致を確認して、番組名が一致すれば、上記現在の番組が視聴制限番組であると判断し（ステップＳ２３：ＹＥＳ）、番組名が一致しなければ、上記現在の番組が視聴制限番組でないと判断する（ステップＳ２３：ＮＯ）。これ以外に、例えば上記現在の番組と視聴制限番組のジャンルの一致または番組情報に含まれる複数の情報の少なくとも２つ以上の一致を確認して、一致すれば、上記現在の番組が視聴制限番組であると判断し、一致しなければ、上記現在の番組が視聴制限番組でないと判断するようにしてもよい。
【００４５】
マイコン１１は、選局を指示されたチャンネルの現在の番組が視聴制限番組であると判断すると（ステップＳ２３：ＹＥＳ）、該チャンネルを選局して（ステップＳ２４）、現在の番組をロックし、即ち該番組に対応する映像と音声のＬＣＤモジュール１４とスピーカ１５からの出力を停止して、該番組の視聴を禁止し（ステップＳ２５）、該番組を視聴できないことをＬＣＤモジュール１４により通知して（ステップＳ２６）、処理を終了する。このとき、例えば図５に示したようにＬＣＤモジュール１４には、選局中のチャンネルで放送されている現在の番組に対応する映像に代えて、ブラックバック画面と、視聴制限がかけられたため該現在の番組を視聴できないことを示すメッセージとが表示され、スピーカ１５からは音声が全く出力されなくなる。
【００４６】
また、マイコン１１は、選局を指示されたチャンネルの現在の番組が視聴制限番組でないと判断すると（ステップＳ２３：ＮＯ）、メモリ１７の管理者ＤＢを検索して、視聴制限年齢が予め設定されているか否かを判定する（ステップＳ２７）。そして、マイコン１１は、視聴制限年齢が予め設定されて管理者ＤＢに格納されていると（ステップＳ２７：ＹＥＳ）、選局を指示されたチャンネルの現在の番組のレイティング情報をメモリ１７の番組情報ＤＢから読み出す。このとき、放送信号より検出したＴＳのＥＩＴから、上記現在の番組のレイティング情報を検出するようにしてもよい。そして、マイコン１１は、上記視聴制限年齢と現在の番組のレイティング情報とを参照して（ステップＳ２８）、該視聴制限年齢がレイティング情報で示されるレイティング設定年齢以下であるか否かを判定する（ステップＳ２９）。このとき、マイコン１１は、視聴制限年齢がレイティング設定年齢以下であれば（ステップＳ２９：ＹＥＳ）、指示されたチャンネルを選局して（ステップＳ２４）、現在の番組をロックし（ステップＳ２５）、該番組を視聴できないことを通知して（ステップＳ２６）、処理を終了する。
【００４７】
また、マイコン１１は、視聴制限年齢が予め設定されて管理者ＤＢに格納されていなかったり（ステップＳ２７：ＮＯ）、設定されていた視聴制限年齢が選局を指示されたチャンネルの現在の番組のレイティング設定年齢より高かったり（ステップＳ２９：ＮＯ）すると、指示されたチャンネルを選局して（ステップＳ３０）、現在の番組をロックせず、即ち該番組に対応する映像と音声をＬＣＤモジュール１４とスピーカ１５から出力して、該番組の視聴を許可し（ステップＳ３１）、処理を終了する。このとき、図４に示したように選局中のチャンネルで放送されている現在の番組に対応する映像がＬＣＤモジュール１４に表示され、該現在の番組に対応する音声がスピーカ１５から出力される。
【００４８】
図９〜図１１は、他の実施形態を示す図である。図９に示す視聴制限設定処理と図１１に示すチャンネル選局処理とは、マイコン１１がデジタル放送受信装置１００の各部を制御して実行する。図９および図１１中、図３および図８と同一ステップには同一符号を付している。
【００４９】
先ず図９の視聴制限設定処理において、マイコン１１は、ユーザにより視聴中の番組が視聴制限番組として指定されて（ステップＳ１１：ＹＥＳ）、該番組をロックし（ステップＳ１３）、該番組を視聴できないことを通知すると（ステップＳ１４）、またはユーザによりＥＰＧからいずれかの番組が視聴制限番組として指定されると（ステップＳ１２：ＹＥＳ）、メモリ１７の視聴制限ＤＢを検索して、該番組が視聴制限番組として既に登録済みであるか否かを判定する（ステップＳ４１）。マイコン１１は、ステップＳ４１での判定の結果、指定された番組が視聴制限ＤＢに未だ登録されていなければ、該番組の番組情報をメモリ１７の番組情報ＤＢから読み出して、図１０に示す視聴制限ＤＢの一時的視聴制限領域１７ｂに格納することにより、該番組を一時的視聴制限番組として登録する（図９のステップＳ４２）。そして、マイコン１１は、指定された番組を現在ロック中であれば（ステップＳ４３：ＹＥＳ）、ロック回数として１回を、図１０に示すように視聴制限ＤＢの一時的視聴制限領域１７ｂの該番組の番組関連情報に含めて記録し（図９のステップＳ４４）、処理を終了する。また、マイコン１１は、指定された番組を現在ロック中でなければ（ステップＳ４３：ＮＯ）、ロック回数として０回を、視聴制限ＤＢの一時的視聴制限領域１７ｂの該番組の番組関連情報に含めて記録し（ステップＳ４５）、処理を終了する。
【００５０】
また、マイコン１１は、ステップＳ４１での判定の結果、指定された番組が視聴制限ＤＢに一時的視聴制限番組として既に登録済みであって、該番組を現在ロック中であれば（ステップＳ４６：ＹＥＳ）、視聴制限ＤＢの一時的視聴制限領域１７ｂに格納されている該番組のロック回数に１を加算して（ステップＳ４７）、該ロック回数を更新する。そして、マイコン１１は指定された番組のロック回数が予め設定された一定回数以上であるか否かを判定する（ステップＳ４８）。また、マイコン１１は、ステップＳ４１で指定された番組が視聴制限ＤＢに一時的視聴制限番組として既に登録済みであって、該番組を現在ロック中でなければ（ステップＳ４６：ＮＯ）、該番組のロック回数が一定回数以上であるか否かを判定する（ステップＳ４８）。そして、マイコン１１は、指定された番組のロック回数が一定回数未満であれば（ステップＳ４８：ＮＯ）、処理を終了する。また、マイコン１１は、指定された番組のロック回数が一定回数以上であれば（ステップＳ４８：ＹＥＳ）、該番組の番組情報を図１０に示す視聴制限ＤＢの一時的視聴制限領域１７ｂから継続的視聴制限領域１７ａへ移動することにより、該番組を継続的視聴制限番組として登録し（ステップＳ４９）、処理を終了する。また、マイコン１１は、ステップＳ４１での判定の結果、指定された番組が視聴制限ＤＢに継続的視聴制限番組として既に登録済みであれば、ステップＳ４２〜Ｓ４９を実行することなく処理を終了する。
【００５１】
次に図１１のチャンネル選局処理において、マイコン１１は、ユーザによりいずれかのチャンネルの選局が指示されると（ステップＳ２１：ＹＥＳ）、該チャンネルで放送されている現在の番組の番組情報と、視聴制限ＤＢに登録されている視聴制限番組の番組情報とを参照して（ステップＳ２２）、例えば番組名の一致を確認することにより、該現在の番組が視聴制限番組であるか否かを判定する（ステップＳ５１）。マイコン１１は、ステップＳ５１で選局を指示されたチャンネルの現在の番組が継続的視聴制限番組であると判断すると、該チャンネルを選局して（ステップＳ２４）、該番組をロックし（ステップＳ２５）、該番組を視聴できないことを通知する（ステップＳ２６）。そして、マイコン１１は、上記現在の番組が一時的視聴制限番組でないため（ステップＳ５３：ＮＯ）、処理を終了する。
【００５２】
また、マイコン１１は、ステップＳ５１で選局を指示されたチャンネルの現在の番組が一時的視聴制限番組であると判断すると、該現在の番組の放送時間帯と、視聴制限ＤＢに登録されている一時的視聴制限番組の放送時間帯（ＥＰＧから指定された視聴制限番組の特定の放送時間帯）とが一致しているか否かを判定する（ステップＳ５２）。そして、マイコン１１は、上記現在の番組と一時的視聴制限番組の放送時間帯が一致していれば（ステップＳ５２：ＹＥＳ）、指示されたチャンネルを選局して（ステップＳ２４）、現在の番組をロックし（ステップＳ２５）、該番組を視聴できないことを通知する（ステップＳ２６）。そして、マイコン１１は、上記現在の番組が一時的視聴制限番組であるため（ステップＳ５３：ＹＥＳ）、視聴制限ＤＢの一時的視聴制限領域１７ｂに格納されている該番組のロック回数に１を加算して（ステップＳ５４）、該ロック回数を更新し、処理を終了する。
【００５３】
また、マイコン１１は、ステップＳ５１で選局を指示されたチャンネルの現在の番組が視聴制限番組でないと判断したり、ステップＳ５２で該現在の番組と一時的視聴制限番組の放送時間帯が一致しないと判断したり（ステップＳ５２：ＮＯ）すると、視聴制限年齢が予め設定されているか否かを判定する（ステップＳ２７）。そして、マイコン１１は、視聴制限年齢が予め設定されていて（ステップＳ２７：ＹＥＳ）、該視聴制限年齢と現在の番組のレイティング情報とを参照した（ステップＳ２８）結果、該視聴制限年齢が現在の番組のレイティング設定年齢以下であれば（ステップＳ２９：ＹＥＳ）、上述したようにステップＳ２４以降を実行して、処理を終了する。また、マイコン１１は、視聴制限年齢が予め設定されていなかったり（ステップＳ２７：ＮＯ）、視聴制限年齢が現在の番組のレイティング設定年齢より高かったり（ステップＳ２９：ＮＯ）すると、指示されたチャンネルを選局して（ステップＳ３０）、現在の番組をロックせず（ステップＳ３１）、処理を終了する。
【００５４】
以上によれば、ユーザが現在視聴している特定の番組またはＥＰＧに一覧表示された一定期間に放送される番組のうちの特定の番組を、操作キー１６により視聴制限番組として指定するだけで、この時視聴中であったその番組や以降に放送されるそれと同様（同名等）の番組に対応する映像と音声の出力が停止されて、該番組が視聴できなくなるので、特定の番組に容易に視聴制限をかけて、利便性を高めることができる。
【００５５】
また、図２に示したように各チャンネルの一定期間の番組情報の検出を、予め設定された番組情報取得タイミングで行うことで、視聴制限番組の登録（図３のステップＳ１５または図９のステップＳ４２、Ｓ４９）前および視聴制限番組の判定（図８のステップＳ２３および図１１のステップＳ５１等）前に、該番組情報をメモリ１７の番組情報ＤＢに格納し、該番組情報を更新して正確に保持することができる。特に、各チャンネルの一定期間の番組情報の検出と番組情報ＤＢへの格納を、起動時または該一定期間毎若しくは該一定期間より短い期間毎に行うことで、視聴制限番組の登録前および視聴制限番組の判定前に、該番組情報を確実に番組情報ＤＢに格納して更新し、常に正確に保持することができる。
【００５６】
このため、視聴制限番組の登録時に、ＴＳのＥＩＴから視聴制限番組の番組情報を検出する手間を省いて、該番組情報をメモリ１７の番組情報ＤＢから視聴制限ＤＢに迅速かつ正確に移動させて登録することができる。また、視聴制限番組の判定時に、ＴＳのＥＩＴから現在の番組の番組情報を検出する手間を省いて、メモリ１７の番組情報ＤＢに格納された現在の番組の番組情報と視聴制限ＤＢに格納された視聴制限番組の番組情報とを参照し、現在の番組が視聴制限番組であるか否かを迅速かつ正確に判定することができる。また、その判定結果に基づいて、チャンネルの選局時に該チャンネルの現在の番組に対応する映像と音声の出力を実行し（非ロック状態）または停止する（ロック状態）までにかかる時間を短縮することができる。また、各チャンネルの一定期間の番組情報の検出と格納を起動時に行って、以降の駆動中に行わないようにすることで、以降の駆動中に該処理にかかる手間を省くことができる。さらに、各チャンネルの一定期間の番組情報の検出と格納を定期的に行う期間を該一定期間と等しくすることで、該処理の実行頻度を減少させて、該処理にかかる時間と負担を軽減することができる。
【００５７】
さらに、図９〜図１１に示したようにすると、ユーザが視聴制限番組として指定した特定の番組のうち、ロック回数が一定回数未満である同名の番組（一時的視聴制限番組）に対して、指定した特定の放送時間帯にだけ一時的に視聴制限をかけて、視聴できないようにし、かつ、ロック回数が一定回数以上である同名の番組（継続的視聴制限番組）に対して、以降の全ての放送時間帯に継続的に視聴制限をかけて、視聴できないようにし、利便性を高めることができる。
【００５８】
本発明は、以上述べた実施形態以外にも種々の形態を採用することができる。例えば、以上の実施形態では、ＤＶＢ ＳＩ規格に準拠したデジタル放送を受信して、各チャンネルの放送番組の映像と音声を表示するテレビジョン受像機から成るデジタル放送受信装置１００に、本発明を適用した例を挙げたが、本発明はこれのみに限定するものではない。これ以外に、本発明は、例えば少なくともＤＶＢ ＳＩ規格またはその他の規格に準拠したデジタル放送を受信する、テレビジョン受像機、光ディスクレコーダ、ハードディスクレコーダ、セットトップボックス、またはこれらの少なくとも２つが一体になったＡＶ複合装置等のような、デジタル放送受信装置に適用することができる。
【図面の簡単な説明】
【００５９】
【図１】デジタル放送受信装置のブロック図である。
【図２】番組情報取得処理の手順を示すフローチャートである。
【図３】視聴制限設定処理の手順を示すフローチャートである。
【図４】ＬＣＤモジュールの表示画面の一例を示す図である。
【図５】ＬＣＤモジュールの表示画面の一例を示す図である。
【図６】ＥＰＧの一例を示す図である。
【図７】視聴制限ＤＢの格納情報の一例を示す図である。
【図８】チャンネル選局処理の手順を示すフローチャートである。
【図９】視聴制限設定処理の他の実施形態を示すフローチャートである。
【図１０】視聴制限ＤＢの他の実施形態を示す図である。
【図１１】チャンネル選局処理の他の実施形態を示すフローチャートである。
【符号の説明】
【００６０】
３  チューナ
４  デモジュレータ
６  ハイブリッドプロセッサ
７  オーディオＤＡＣ
１１  マイクロコンピュータ
１３  スケーラ
１４  ＬＣＤモジュール
１５  スピーカ
１６  操作キー
１７  メモリ
１００  デジタル放送受信装置
【図１】
2008294866.tif 000003
【図２】
2008294866.tif 000004
【図３】
2008294866.tif 000005
【図４】
2008294866.tif 000006
【図５】
2008294866.tif 000007
【図６】
2008294866.tif 000008
【図７】
2008294866.tif 000009
【図８】
2008294866.tif 000010
【図９】
2008294866.tif 000011
【図１０】
2008294866.tif 000012
【図１１】
2008294866.tif 000013